(57)【要約】【課題】  制御盤と煤吹装置とを繋ぐ配線を減らすことにより、コストの低減化、省スペース化を図ることのできる煤吹装置及び除煤システムを提供する。【解決手段】  遠隔に設置された制御盤２から制御信号を受信し、受信した制御信号に基づいてランス管を回転又は移動又は回転移動させながら噴射媒体をノズルから噴射して除煤する煤吹装置１であって、制御盤２と無線により通信を行う無線通信部１４と、制御盤２からランス管に回転又は移動又は回転移動を与えるモータ１３の駆動用電力として供給される電力を降圧し、無線通信部１４を含む電気機器１５へ供給するトランス１６とを備える。【選択図】      図２
2005147450.tif 000002
【特許請求の範囲】
【請求項１】
複数の煤吹装置を一元制御する制御盤から制御信号を受信し、受信した前記制御信号に基づいて噴射管を回転又は移動又は回転移動させながら噴射媒体を噴射ノズルから噴射して除煤する煤吹装置であって、
前記制御盤と無線により通信を行う無線通信手段と、
前記噴射管に回転又は移動又は回転移動を与える電動機の駆動用電力の電圧を降圧し、前記無線通信手段を含む電気機器へ供給する降圧手段と
を具備することを特徴とする煤吹装置。
【請求項２】
複数の煤吹装置を一元制御する制御盤と、
前記制御盤から無線により制御信号を受信する無線通信手段を有し、受信した制御信号に基づいて噴射管を回転又は移動又は回転移動させながら噴射媒体を噴射ノズルから噴射して除煤する複数の煤吹装置と
を具備する除煤システムであって、
少なくとも一台の煤吹装置は、前記噴射管を回転又は移動又は回転移動させるための電動機の駆動用電力の電圧を降圧する降圧手段を備え、降圧後の電力を前記無線通信手段を含む電気機器の作動用電力として供給するとともに、他の煤吹装置に対して供給することを特徴とする除煤システム。
【請求項３】
複数の煤吹装置を一元制御する制御盤と、
前記制御盤から無線により制御信号を受信する無線通信手段を有し、受信した制御信号に基づいて噴射管を回転又は移動又は回転移動させながら噴射媒体を噴射ノズルから噴射して除煤する複数の煤吹装置と
を具備する除煤システムであって、
少なくとも一台の煤吹装置は、前記制御盤から前記無線通信手段を含む電気機器の作動用電力の供給を受け、この作動用電力を自己が備える電気機器へ供給するとともに、他の煤吹装置に対して供給することを特徴とする除煤システム。
【発明の詳細な説明】
【技術分野】
【０００１】
本発明は、熱交換器等の管表面に付着、堆積した煤等を蒸気等の噴射媒体によって除煤する煤吹装置及び除煤システムに関するものである。
【背景技術】
【０００２】
従来、ボイラ等に用いられる熱交換器には複数の管群が配置され、管群を通過する排ガスによって熱交換が行われる。このとき、管群の管表面には排ガスの通過とともに煤などが付着、堆積し、熱伝達率が悪化するため、煤吹装置による除煤が行われる。
この煤吹装置の内部には、回転しながら前後進できるランス管（噴射管）が装着されており、そのランス管の先端に設けられたノズルから噴射媒体である蒸気等が熱交換器の管群表面に噴射されることにより、管表面に付着した煤等の除去が行われる。
このような煤吹装置として、例えば、特開２００１−７４２２８号公報（特許文献１）には、ランス管の往路と復路とで、噴射媒体の噴射パターンを変化させることにより、除煤効果を向上させる技術が開示されている。
【特許文献１】特開２００１−７４２２８号公報（段落［００２４］〜［００３４］、及び図１及び図２）
【発明の開示】
【発明が解決しようとする課題】
【０００３】
ところで、上記特許文献１の発明では、遠隔に設けられた制御盤により各煤吹装置の運転制御が行われる。従来は、運転制御を行うための制御信号は、有線である信号線を伝送して各煤吹装置へ届けられていた。
このため、制御盤と各煤吹装置とをつなぐ長い信号線が必要であり、また、信号線からの誘導障害により煤吹装置が誤動作するなどの問題が生じていた。
また、上記信号線に加えて、更にモータを駆動するための駆動用電力を伝送するケーブルや、煤吹装置が備える各種スイッチ等の電気機器を作動させるための作動用電力を伝送するケーブルも必要となるため、１台の煤吹装置に対して制御盤から複数のケーブルを配線する必要があった。このため、ケーブル敷設作業やケーブル資材に多大な費用を要し、また、スペースも必要となるという問題があった。
更に、ケーブルの経年劣化による交換作業も必要であった。
【０００４】
本発明は、上記問題を解決するためになされたもので、配線を減らす又は短くすることにより、コストの低減化、及び省スペース化を図ることのできる煤吹装置及び除煤システムを提供することを目的とする。
【課題を解決するための手段】
【０００５】
上記課題を解決するために、本発明は以下の手段を採用する。
本発明の煤吹装置は、複数の煤吹装置を一元制御する制御盤から制御信号を受信し、受信した前記制御信号に基づいて噴射管を回転又は移動又は回転移動させながら噴射媒体を噴射ノズルから噴射して除煤する煤吹装置であって、前記制御盤と無線により通信を行う無線通信手段と、前記噴射管に回転又は移動又は回転移動を与える電動機の駆動用電力の電圧を降圧し、前記無線通信手段を含む電気機器へ供給する降圧手段とを具備することを特徴とする。
【０００６】
このように、無線通信手段が制御盤から無線によって制御情報を受信するので、制御盤から制御信号を伝送するための信号線をなくすことができる。
また、降圧手段が電動機の駆動用電力を降圧し、無線通信手段等の電気機器に供給するので、制御盤から電気機器用の作動電力を伝送するための電力線をなくすことができる。
例えば、電動機の駆動用電力が、電圧が２００Ｖから４８０Ｖ程度の３相交流電力であり、一方、電気機器の作動用電力が、電圧が２４Ｖから２２０Ｖ程度の単相交流電力であった場合、降圧手段は、３相交流電力の１相を取り出し、その電圧を降圧して電気機器へ供給する。
なお、電気機器とは、煤吹装置が備える電気により作動される各種機器全てを含むものであり、例えば、上記無線通信手段の他、噴射管の位置を検出するための位置検出スイッチや噴射媒体である蒸気等の流量を調節するためのバルブ等が挙げられる。
【０００７】
また、本発明の除煤システムは、複数の煤吹装置を一元制御する制御盤と、前記制御盤から無線により制御信号を受信する無線通信手段を有し、受信した制御信号に基づいて噴射管を回転又は移動又は回転移動させながら噴射媒体を噴射ノズルから噴射して除煤する複数の煤吹装置とを具備する除煤システムであって、少なくとも一台の煤吹装置は、前記噴射管を回転させるための電動機の駆動用電力の電圧を降圧する降圧手段を備え、降圧後の電力を前記無線通信手段を含む電気機器の作動用電力として供給するとともに、他の煤吹装置に対して供給することを特徴とする。
【０００８】
このように、各煤吹装置は、制御盤から制御情報を無線により受信する無線通信手段を備えるので、制御盤から各煤吹装置へ配線されていた制御信号を伝送するための信号線をなくすことができる。これにより、煤吹装置の台数分の配線を削減することができる。
また、少なくとも一台の煤吹装置が電動機の駆動用電力の電圧を降圧し、降圧した電力を自己が備える電気機器へ供給するとともに、他の煤吹装置へも供給するので、制御盤から煤吹装置へ配線されていた電気機器の作動用電力を伝送するための配線をなくすことができる。更に、他の煤吹装置は、比較的遠隔（例えば、１００ｍから２００ｍ離れた場所）に設置された制御盤からではなく、近接された煤吹装置から電気機器用の作動電力を受電することができる。これにより、作動用電力を伝送するための配線を非常に短くすることができる。
【０００９】
また、本発明の除煤システムは、複数の煤吹装置を一元制御する制御盤と、前記制御盤から無線により制御信号を受信する無線通信手段を有し、受信した制御信号に基づいて噴射管を回転又は移動又は回転移動させながら噴射媒体を噴射ノズルから噴射して除煤する複数の煤吹装置とを具備する除煤システムであって、少なくとも一台の煤吹装置は、前記制御盤から前記無線通信手段を含む電気機器の作動用電力の供給を受け、この作動用電力を自己が備える電気機器へ供給するとともに、他の煤吹装置に対して供給する。
【００１０】
このように、各煤吹装置は、制御盤から制御情報を無線により受信する無線通信手段を備えるので、制御盤から各煤吹装置へ配線されていた制御信号を伝送するための信号線をなくすことができる。これにより、煤吹装置の台数分の配線を削減することができる。
また、少なくとも一台の煤吹装置が制御盤から電気機器の作動用電力の供給を受け、この作動用電力を自己が備える電気機器へ供給するとともに、他の煤吹装置へも供給するので、他の煤吹装置は、比較的遠隔（例えば、１００ｍから２００ｍ離れた場所）に設置された制御盤からではなく、近接された煤吹装置から電気機器用の作動電力を受電することができる。これにより、作動用電力を伝送するための配線を短くすることができる。
【発明の効果】
【００１１】
本発明の煤吹装置は、以下の効果を奏する。
無線通信手段が制御盤から無線によって制御情報を受信するので、制御盤から制御信号を伝送するための信号線をなくすことができ、ケーブルノイズの誘導障害による誤動作問題を解消することができる。
また、降圧手段が電動機の駆動用電力を降圧し、無線通信手段等の電気機器に供給するので、制御盤から電気機器の作動用電力を伝送するための電力線をなくすことができる。
従って、信号線及び電気機器の作動用電力線の配線をなくすことができるので、配線敷設作業やケーブル資材のコストを大幅に削減できるとともに、省スペース化を図ることができる。
更に、経年劣化によるケーブル保守点検の必要がなくなり、作業を大幅に削減できる。
【００１２】
本発明の除煤システムは、以下の効果を奏する。
各煤吹装置は、無線により制御情報を受信できるので、制御盤から各煤吹装置へ配線されていた制御信号を伝送するための信号線をなくすことができ、更に、比較的遠隔に設置された制御盤からではなく、近接された煤吹装置から電気機器用の作動電力を受電することができるので、作動用電力を伝送するための配線を短くすることができる。
このように、信号線を無くすことができるとともに、電気機器の作動用電力を伝送するための配線を短くすることができるので、配線敷設作業やケーブル資材のコストを大幅に削減できるとともに、省スペース化を図ることができる。また、信号線を無線化することにより、ケーブルノイズの誘導障害による誤動作問題を解消することができる。更に、経年劣化によるケーブル保守点検の必要がなくなり、作業を大幅に削減できる。
また、電動機の駆動用電力の電圧を降圧して、電気機器の作動用電力を変成する降圧手段を採用するので、制御盤から煤吹装置へ配線されていた電気機器の作動用電力を伝送するための配線をなくすことができ、更に配線を少なくすることができる。
【発明を実施するための最良の形態】
【００１３】
以下に、本発明にかかる除煤装置の一実施形態について、図面を参照して説明する。
図１は、本発明の第１の実施形態に係る煤吹装置を備える除煤システムの要部構成を示す図である。また、図２は、本実施形態に係る煤吹装置の電気的構成の要部を示す図である。なお、実際は、熱交換器３の周辺には複数の煤吹装置１が互いに近接して設置されているが、説明の便宜上、図１では１つの煤吹装置を例として図示し、説明する。
図１に示すように、煤吹装置１の内部には回転しながら前後進できるランス管（噴射管）１１が装着され、そのランス管１１の先端には空気又は蒸気等の噴射媒体を噴射するノズル１２が設けられており、このノズル１２から噴射媒体の蒸気等が熱交換器３内部の管群３１の管表面へ噴射され、管群に付着した煤等を除去する。
モータ（電動機）１３は、ランス管１１に軸回りの回転を与えるものであり、この駆動用電力は遠隔に設置されている制御盤２から電力線１００を伝送して供給される。
また、図２に示すように、煤吹装置１は、噴射媒体の流量等を制御するための電磁バルブや、ランス管の位置を検出する位置検出器として働く各種スイッチ類等の電気機器１５や、噴射媒体である空気又は蒸気等をランス管１１へ供給するための配管（図示略）を備えている。
そして、これらの電気機器１５及びモータ１３の制御は、制御盤２から無線で送られてくる制御信号に基づいて行われる。そのため、煤吹装置１は、制御盤２と無線により情報を送受信する無線通信部１４を備えている。
更に、煤吹装置１は、モータ１３の駆動用電力として制御盤２から供給される３相交流電力の１相を取出し、この単相交流電力の電圧を降圧して無線通信部１４を含む電気機器１５へ供給するためのトランス（降圧手段）１６を備える。なお、モータ１３の駆動用電力の電圧は２００Ｖから４８０Ｖ程度であり、電気機器１５の作動用電力の電圧は、２４Ｖから２２０Ｖ程度である。
次に、上記構成からなる煤吹装置１の動作について図２を参照して説明する。
まず、モータ１３には電力線１００を伝送してモータ１３の駆動用電力が供給され、一方、無線通信部１４を含む各種電気機器１５にはトランス１６によって降圧された電力が供給される。無線通信部１４は、制御盤２から無線で伝送される制御信号を受信し、この制御信号をスイッチ等の電気機器１５やモータ１３へ出力する。これにより、モータ１３及び各種スイッチ等の電気機器１５は制御信号に基づいて作動し、ランス管１１（図１参照）が軸回り回転をしながら前進運動を開始する。また、煤吹装置１からは、必要に応じて、ランス管１１の位置を検出する位置検出器等の検出信号が無線通信部１４により無線で制御盤２へ送信される。このように、制御盤２と煤吹装置１とは、煤吹装置１の制御に必要となる所定の信号を互いに送受信しながら除煤の一連の動作を行う。
なお、この煤吹装置１の動作については周知の技術であり、本発明特有のものではないため、詳細な説明は省略する。
【００１４】
以上述べたように、本実施形態に係る除煤システムの煤吹装置１によれば、無線通信部１４が制御盤２から無線によって制御情報を受信するので、制御盤２から制御信号を伝送するための信号線をなくすことができる。更に、トランス１６がモータ１３の駆動用電力である３相交流電力の１相を取り出し、その電力の電圧を降圧して無線通信部１４やスイッチ等の電気機器１５へ供給するので、制御盤２から電気機器の作動用電力を伝送するための電力線もなくすことができる。従って、制御盤２から各煤吹装置１への配線はモータの駆動用電力を伝送するケーブルのみにすることができる。
これにより、配線敷設作業やケーブル資材のコストを大幅に削減できるとともに、省スペース化を図ることができる。また、信号線を無線化することにより、ケーブルノイズの誘導障害による誤動作問題を解消することができる。更に、経年劣化によるケーブル保守点検の必要がなくなり、作業を大幅に削減できる。
【００１５】
［第２の実施形態］
次に、本発明の第２の実施形態に係る除煤システムについて、図３を参照して説明する。
図３に示す除煤システムにおいて図１及び図２と同じ構成については、同一の符号を付し、説明を省略する。
第１の実施形態にかかる除煤装置１がそれぞれトランス１６を備え、モータ１３の駆動用電力である３相交流電力の電圧を降圧して自己が備える無線通信部１４を含む電気機器１５へ供給していたのに対し、第２の実施形態に係る除煤システムでは、少なくとも一台の煤吹装置５が、モータ１３を駆動する駆動用電力の電圧を降圧するトランス１６を備えており、このトランス１６によって降圧された電気機器の作動用電力を自己が備える無線通信部１４を含む電気機器１５へ供給するとともに、近接する他の煤吹装置６へ対して供給する。
即ち、他の煤吹装置６は、主となる煤吹装置５が変成した電気機器の作動用電力を受電し、この電力を自己が備える電気機器１５へ供給することにより、各電気機器１５を作動させる。
ここで、各煤吹装置５及び６に対して制御盤２は比較的遠隔に設置されているのに対し、煤吹装置５及び６はいずれも近接して熱交換器３の周辺に設置されている。
このため、制御盤２から作動用電力を受電するよりも、主となる煤吹装置５から他の煤吹装置６へ電気機器１５の作動用電力を供給した方が、作動用電力を伝送する配線２００を短くすることができる。
また、本実施形態によれば、煤吹装置５のみが第１の実施形態における煤吹装置１（図２参照）の構成を備え、他の煤吹装置６は、煤吹装置１又は５のように、トランス１６を備える必要がない。従って、既存の煤吹装置をそのまま利用することができる。
なお、同時に動作される煤吹装置は２台程度であるため、１台の煤吹装置５により変成された電気機器の作動用電力を他の煤吹装置へ供給したとしても、大幅な電圧降下などが生じることもなく、正常な動作を実現させることができる。
【００１６】
以上述べたように、本実施形態に係る除煤システムによれば、各煤吹装置５及び６は、制御盤２から制御情報を無線により受信する無線通信部１４を備えるので、制御盤２から各煤吹装置５及び６へ配線されていた制御信号を伝送するための信号線をなくすことができる。これにより、煤吹装置の台数分の配線を削減することができる。
また、少なくとも一台の煤吹装置５がモータ１３の駆動用電力の電圧を降圧し、降圧した電力を自己が備える電気機器へ供給するとともに、他の煤吹装置６へも供給するので、他の煤吹装置６は、比較的遠隔（例えば、１００ｍから２００ｍ離れた場所）に設置された制御盤２からではなく、近接された煤吹装置５から電気機器の作動用電力を受電することができる。これにより、作動用電力を伝送するための配線２００を短くすることができる。
これにより、信号線を無くすことができるとともに、電気機器１５の作動用電力を伝送するための配線を短くすることができるので、配線敷設作業やケーブル資材のコストを大幅に削減できるとともに、省スペース化を図ることができる。
また、信号線を無線化することにより、ケーブルノイズの誘導障害による誤動作問題を解消することができる。
更に、経年劣化によるケーブル保守点検の必要がなくなり、作業を大幅に削減できる。
【００１７】
なお、上述した第２の実施形態における除煤システムのように、煤吹装置５がトランス１６により電気機器の作動用電力を変成するのではなく、図４に示すように、電気機器の作動用電力も制御盤２から受電するような構成としても良い。このような構成によれば、煤吹装置５もトランス１６を備える必要がないため、煤吹装置５にも他の煤吹装置６と同様に、既存の煤吹装置をそのまま利用することができる。
【００１８】
なお、上記第２及び第３の実施形態において、主となる煤吹装置５から他の煤吹装置６への電気機器の作動用電力の供給の形態としては、主となる煤吹装置５から他の煤吹装置６へそれぞれ独立した配線を伸ばし電力供給を行っても良いし、主となる煤吹装置５から配線を１本伸ばし、その配線から分岐して他の煤吹装置６へそれぞれ電力供給を行うような態様としても良い。
【図面の簡単な説明】
【００１９】
【図１】本発明の第１の実施形態に係る除煤システムの概略構成を示す図である。
【図２】本発明の第１の実施形態に係る煤吹装置の電気的構成の要部を示す図である。
【図３】本発明の第２の実施形態に係る除煤システムの概略構成を示す図である。
【図４】本発明の第２の実施形態に係る除煤システムの変形例を示す図である。
【符号の説明】
【００２０】
１、５、６  煤吹装置
２  制御盤
３  熱交換器
１１  ランス管
１２  ノズル
１３  モータ
１４  無線通信部
１５  電気機器
１６  トランス
３１  管群
１００、２００  配線
【図１】
2005147450.tif 000003
【図２】
2005147450.tif 000004
【図３】
2005147450.tif 000005
【図４】
2005147450.tif 000006